(57)【特許請求の範囲】
【請求項１】
地中に埋設した供給管に近接する流体圧送管からの流体の漏出流が前記埋設供給管近傍の土砂を伴って供給管管壁に当たることによって生ずる管壁における浸食を防止するための管保護材であって、前記流体圧送管外周に直接敷設するようにして、少なくとも流体圧送管管壁に生じた漏れ孔から噴出する流体の流速を減衰させる減衰部材と、この噴出する流体を拡散させるようにした拡散部材とを有することを特徴とする管保護材。
【請求項２】
前記減衰部材および拡散部材は、織布に、合成樹脂綿、不織布を植え付けて構成することを特徴とする請求項１記載の管保護材。
【請求項３】
前記減衰部材および拡散部材は、穴開きシ−トに合成樹脂綿、不織布、または織布を付けて構成することを特徴とする請求項１記載の管保護材。
【請求項４】
前記織布と合成樹脂綿との間に導電性部材を敷設して、流体圧送管管壁に生じた漏れ孔から噴出する流体の流体圧力により膨張させることで切断状態とし、流体圧送管の漏れ箇所を電気的に検出するようにしたことを特徴とする請求項２記載の管保護材。
【請求項５】
前記減衰部材と拡散部材間に、漏出する流体を含むことによって膨張する部材を積層すると共に、この部材に導電性部材を介在させ、流体圧送管管壁に生じた漏れ孔から噴出する流体を前記部材により吸収して部材を膨張させることで導電性部材を切断状態とし、流体圧送管の漏れ箇所を電気的に検出するようにしたことを特徴とする請求項１ないし３記載の管保護材。
【発明の詳細な説明】
【０００１】
【発明の属する技術分野】
本発明は、水道管等の流体圧送管に直接敷設することで、腐食等によって生じた漏れ孔からの噴出水流を分散・減衰させ、サンドブラスト現象の発生を抑制させるようにした、管保護材に関するものである。
【０００２】
【従来の技術】
例えば、地中に埋設されたガス等の供給管に、水道管（またはその他高圧の流体を供給するための流体圧送管）が近接して設けられていると、水道管が腐食等によって穴があいた場合、水道管から水道水が漏出してきて、その漏出する際の水圧により、水道水が供給管周囲の土砂を伴って供給管に当たり、長期間このような状態が続くと、前記土砂は、あたかも研磨材の作用をなし、やがては、前記供給管管壁に穴があいてしまうことがある。かかる現象をサンドブラスト現象と称している。
このようなサンドブラスト現象による供給管管壁の破壊を防止するために、従来では、図５に示すようにブタジエン等を主成分とするゴムからなる保護部材１を、地中に埋設したガス等の供給管２表面に被覆し、近接した水道管３からの土砂を伴った噴出水が供給管２管壁に直接当たらないようにしている。
【０００３】
【発明が解決しようとする課題】
しかしながら水道管３の漏れ孔からの噴出流の圧力が高いので（約５kg／cm2以上）、供給管２と水道管３との離隔距離が小さいと、周囲の土砂を伴った噴出水が容易に保護部材１に達して、１０時間程度で保護部材１が磨滅してしまい、結局は前記噴出流に供給管２管壁が曝されることとなり、供給管２が損傷してしまう。
また、仮に保護部材１の厚さを増量させたとしても、保護部材１取り付けの作業性が著しく悪化するうえに、材料費も高騰する。
そこで、サンドブラスト現象の元である、水道管３側に、漏れ孔から噴出する高圧の水流を分散拡散するための保護材を直接巻きつけるという防止手段を考えることができる。
本発明は、かかる観点から提案されたもので、水道管等の流体圧送管に直接敷設することで、腐食等によって生じた漏れ孔からの噴出水流を分散・減衰させ、サンドブラスト現象の発生を防止させるようにした、管保護材を提供することを目的とする。
【０００４】
【課題を解決するための手段】
前記した課題を解決するために、本発明では、請求項１において、地中に埋設した供給管に近接する流体圧送管からの流体の漏出流が前記埋設供給管近傍の土砂を伴って供給管管壁に当たることによって生ずる管壁における浸食を防止するための管保護材であって、前記流体圧送管外周に直接敷設するようにして、少なくとも流体圧送管管壁に生じた漏れ孔から噴出する流体の流速を減衰させる減衰部材と、この噴出する流体を拡散させるようにした拡散部材とを有する管保護材を提案する。
また本発明では、請求項２において、前記減衰部材および拡散部材は、織布に、合成樹脂綿、不織布を植え付けて構成する管保護材を提案する。
また本発明では、請求項３において、前記減衰部材および拡散部材は、穴開きシ−トに合成樹脂綿、不織布、または織布を付けて構成する管保護材を提案する。
また本発明では、請求項４において、前記織布と合成樹脂綿との間に導電性部材を敷設して、流体圧送管管壁に生じた漏れ孔から噴出する流体の流体圧力により膨張させることで切断状態とし、流体圧送管の漏れ箇所を電気的に検出するようにした管保護材を提案する。
さらに本発明では、請求項５において、前記減衰部材と拡散部材間に、漏出する流体を含むことによって膨張する部材を積層すると共に、この部材に導電性部材を介在させ、流体圧送管管壁に生じた漏れ孔から噴出する流体を前記部材により吸収して部材を膨張させることで導電性部材を切断状態とし、流体圧送管の漏れ箇所を電気的に検出するようにした管保護材を提案する。
【０００５】
【発明の実施の形態】
次に、本発明にかかる管保護材について、一つの実施の形態を示し、添付した図面に基づいて以下説明する。
図１に管保護材１０を示し、この管保護材１０は、地中に埋設したガス等の供給管１１に近接する水道管１２に直接装着することで、水道管１２からの漏出水が前記埋設供給管１１近傍の土砂を伴って供給管１１管壁に当たることによって生ずる管壁の浸食を防止するためのものである。
すなわちこの管保護材１０は、前記水道管１２側の外周を取り囲むように敷設する構成としたもので、この水道管１２外周表面に接して、水道管１２管壁に生じた漏れ孔（後述）から噴出する水の流速を減衰させる減衰部材１３と、この減衰部材１３の外周側にあって、漏出水を拡散させるようにした拡散部材１４とによって構成している。
前記減衰部材１３は、水道管１２管壁に腐食等によって生じた漏れ孔ｈを覆い、減衰部材１３の高い流出抵抗を伴って漏出水を透過せしめる構造により、噴出する速度を抑えるようにし、一方拡散部材１４は、減衰部材１３によって抑えられた速度の漏出水を前記漏れ孔ｈの位置から広い範囲にわたって拡散させるようにしている。
【０００６】
ここで、前記減衰部材１３および拡散部材１４によって構成する管保護材１０の具体例を挙げると、以下の通りである。
（１）織布（合成樹脂繊維（またはテープ）を織り込んだもの）に、合成樹脂綿（フェルト）、不織布を植え付けたもの。
（２）穴開きシ−トに合成樹脂綿（フェルト）、不織布、または織布を付けたもの。
【０００７】
以上構成される管保護材１０において、ガス等の供給管１１に近接した水道管１２が腐食等により漏れ孔ｈが生じても、漏れ孔ｈを覆う高い流出抵抗を伴って漏出水を透過せしめる構造の減衰部材１３によって、高圧の漏出水の噴出速度が抑えられる。そして、この抑えられた噴出速度の漏出水が、前記減衰部材１３外側の拡散部材１４に達すると、広い範囲に拡散するので、拡散部材１４を通過した噴出水は、噴出速度の抑えられた、また単位面積あたりの噴出量が減少した、ちょうどシャワーの状態で漏出するので、周囲の土砂を伴うような噴出流とはならず、サンドブラストの発生を抑制することができる。
また、前記管保護材１０は、水道管１２表面を覆うように施工するだけであるから、施工が容易なものとなる。
なお、管保護材１０は、減衰部材１３および拡散部材１４は、弾力性を有するものであるから、掘り返し工事等により、掘削機械、工具等が誤って当たるようなことがあっても、損傷から保護することも可能である。
【０００８】
本発明にかかる管保護材は、次のように実施することもできる。
すなわち、図３、図４に示すように、この場合の管保護材２０では、合成樹脂繊維（またはテープ）を織り込む際、織り目を比較的密にした密織布２０ａと、織り目を疎とした疎織布２０ｂと組み合わせて構成し、漏れ孔ｈから噴出する水の流速を減衰させると共に、漏れ孔ｈに比較して広範囲に拡散させるようにすることができる。
【０００９】
また本発明にかかる管保護材は、次のように実施することもできる。すなわち、図示は省略するが、管保護材を構成する、例えば織布（合成樹脂繊維（またはテープ）を織り込んだもの）と合成樹脂綿（フェルト）との間に、導電性部材としてワイヤ（他、ワイヤをコイル状にしたもの）を敷設して、流体圧送管管壁に生じた漏れ孔から噴出する流体の流体圧力により膨張させることで前記ワイヤを切断状態とし、流体圧送管の漏れ箇所を電気的に検出する（断線検知、電気抵抗値の変化を検出）構成とすることができる。
なお、前記導電性部材の他に、光ケーブルを敷設するようにしてもよい。
【００１０】
さらに本発明にかかる管保護材は、次のように実施することもできる。すなわち、この場合の管保護材３０では、減衰部材１３（フェルト等）と拡散部材１４（穴開きフィルム等）間に、膨潤度の大きな部材、例えば吸水性ポリマー３１を積層して、この吸水性ポリマー３１中に、ワイヤ３２（他、ワイヤをコイル状にしたもの）を介在させている（図５参照）。
水道管１２に漏れ孔ｈの発生により、漏出する水を減衰部材１３を介して吸水性ポリマー３１が吸収することで膨潤し、これによりワイヤ３２にストレスを与えて切断状態とし、漏れ箇所を電気的に検出する構成である（図６参照）。
なお、前記ワイヤ３２の他に、光ケーブルも適用可能である。
【００１１】
このような構成とすれば、流体圧送管の漏れ箇所を迅速に把握することができ、速やかな補修工事を行うことができ、一層確実に、サンドブラスト現象の発生を防止することができる。
【００１２】
【発明の効果】
以上の通り本発明における管保護材では、直接サンドブラスト現象の元である流体圧送管に敷設するだけで、流体圧送管から漏出した高圧の流体の噴出流を分散・減衰させることで、サンドブラストの発生を抑制することができる。
また、流体圧送管表面を覆うように管保護材を施工するだけであるから、施工工程が簡単なものとなる。
さらに、管保護材自体は、弾力性を有するものであるから、掘り返し工事等により、掘削機械、工具等が誤って当たるようなことがあっても、損傷から保護することも可能である。
なお、管保護材に導電性部材や、光ケーブル等を敷設すれば、流体圧送管の漏れ箇所を迅速に把握することができ、速やかな補修工事を行うことができ、一層、サンドブラスト現象の発生を防止することができる。
【００１３】
【図面の簡単な説明】
【図１】本発明にかかる管保護材をサンドブラスト発生の元である、流体圧送管に敷設したところを示す模式的な斜視説明図である。
【図２】図１に示す管保護材の詳細な構造、並びに作用を示す、模式的な断面説明図である。
【図３】別の実施態様にかかる管保護材をサンドブラスト発生の元である、流体圧送管に敷設したところを示す模式的な斜視説明図である。
【図４】図３に示す管保護材の構成を示す、模式的な断面説明図である。
【図５】別の実施態様にかかる管保護材をサンドブラスト発生の元である、流体圧送管に敷設したところを示す模式的な断面説明図である。
【図６】図５に示す管保護材の作用を説明するための模式的な断面説明図である。
【図７】現行のサンドブラスト対策用保護材を供給管に付設した際の、サンドブラスト現象を説明するための模式的な斜視図である。
【符号の説明】
１０、２０、３０                管保護材
１１                            供給管
１２                            水道管
１３                            減衰部材
１４                            拡散部材
ｈ                            漏れ孔
２０ａ                          密織布
２０ｂ                          疎織布
３１                            吸水性ポリマー
３２                            ワイヤ
【図１】
0003693133.tif 000002
【図２】
0003693133.tif 000003
【図３】
0003693133.tif 000004
【図４】
0003693133.tif 000005
【図５】
0003693133.tif 000006
【図６】
0003693133.tif 000007
【図７】
0003693133.tif 000008